(57)【特許請求の範囲】
【請求項１】
２以上の送信ポイントで構成された通信ネットワークエリアの送信ポイントにおいて、その送信ポイントは、個々の識別子によって識別され、更に、送信ポイントは、共通チャンネル上の共通参照信号及び専用チャンネル上の専用参照信号を少なくとも１つのターゲット装置へ送信するように構成され、
送信ポイントの個々の識別子を送信ポイントの共通チャンネル上の共通参照信号に指定する段階と、
送信ポイントの専用チャンネル上の専用参照信号に、個々の識別子には無関係の識別子を割り当てる段階であって、前記割り当ては、使用可能な識別子の既定のインデックスリストを維持し、そして前記送信ポイントにおいて、ネットワークエンティティ又は他の送信ポイントから受け取った指示されたインデックスに基づいて前記インデックスリストからインデックスされた識別子を選択することを含む段階と、
を含む方法。
【請求項２】
前記指定は、送信ポイントの物理的識別子を個々の識別子として指定することを含む、請求項１に記載の方法。
【請求項３】
前記割り当ては、２以上の送信ポイントにより構成されたネットワークエリアに関連した上位レイヤ識別子を共通の識別子として割り当てることを更に含む、請求項１に記載の方法。
【請求項４】
前記割り当ては、
識別子シフトパラメータを既定し、そして
送信ポイントの識別子を、少なくとも１つの共通シフトパラメータにより指示された値だけシフトする、
ことを更に含む、請求項１に記載の方法。
【請求項５】
前記割り当ては、
各送信ポイントの個々の識別子をグループセル識別子にグループ分けし、そして
送信ポイントにおいて、そのグループセル識別子を、そのスクランブル値によりスクランブル識別子に基づいて変更する、
ことを更に含む、請求項１に記載の方法。
【請求項６】
専用参照信号に割り当てられる識別子を割り当てるための情報を、送信ポイントから、前記通信ネットワークエリアの１以上の送信ポイント及びターゲットへ送信することを更に含む、請求項１、３、４又は５のいずれかに記載の方法。
【請求項７】
前記割り当ては、
識別子シフトパラメータを既定し、そして
別の送信ポイントの識別子を、少なくとも１つの共通シフトパラメータによって指示された値だけシフトする、
ことを更に含む、請求項１に記載の方法。
【請求項８】
専用参照信号に割り当てられる識別子を割り当てるための情報を送信ポイントから少なくとも１つのターゲット装置へ送信することを更に含む、請求項１、３、４、５又は７のいずれかに記載の方法。
【請求項９】
前記送信ポイントは、少なくとも１つのターゲット装置への協調送信のために構成される、請求項１に記載の方法。
【請求項１０】
２以上の送信ポイントにより構成された通信ネットワークエリアのターゲット装置において、各送信ポイントは、個々の識別子により識別され、各送信ポイントは、共通チャンネル上の共通参照信号及び専用チャンネル上の専用参照信号をターゲット装置へ送信するように構成され、
前記各送信ポイントの１以上の専用チャンネル上の専用参照信号に、個々の識別子には無関係の識別子を割り当てるのに適した情報を受信する段階であって、前記割り当ては、使用可能な識別子の既定のインデックスリストを維持し、そして前記ターゲット装置において、受信した情報に基づいて前記インデックスリストからインデックスされた識別子を選択することを含むものである段階、
を含む方法。
【請求項１１】
２以上の送信ポイントにより構成された通信ネットワークエリアにおいて、
各送信ポイントは、個々の識別子によって識別され、
各送信ポイントは、共通チャンネル上の共通参照信号及び専用チャンネル上の専用参照信号を少なくとも１つのターゲット装置へ送信するように構成され、
各送信ポイントの各個々の識別子を各送信ポイントの共通チャンネルの共通参照信号に指定するように構成された手段と、
１以上の送信ポイントの専用チャンネルの専用参照信号に、個々の識別子には無関係の識別子を割り当てるように構成された手段であって、前記割り当ては、使用可能な識別子の既定のインデックスリストを維持し、そしてネットワークエンティティ又は送信ポイントから受け取った指示されたインデックスに基づいて前記インデックスリストからインデックスされた識別子を選択するものである手段と、
を備えたシステム。
【請求項１２】
２以上の送信ポイントにより構成された通信ネットワークエリアの送信ポイントにおいて、各送信ポイントは、個々の識別子により識別され、各送信ポイントは、共通チャンネル上の共通参照信号及び専用チャンネル上の専用参照信号を少なくとも１つのターゲット装置へ送信するように構成され、
送信ポイントの個々の識別子を送信ポイントの共通チャンネルの共通参照信号に指定し、及び
送信ポイントの専用チャンネルの専用参照信号に、個々の識別子には無関係の識別子を割り当て、前記割り当ては、使用可能な識別子の既定のインデックスリストを維持し、そしてネットワークエンティティ又は他の送信ポイントから受け取った指示されたインデックスに基づいて前記インデックスリストからインデックスされた識別子を選択する
ように構成された手段を備えた装置。
【請求項１３】
２以上の送信ポイントにより構成された通信ネットワークエリアのターゲットにおいて、各送信ポイントは、個々の識別子により識別され、各送信ポイントは、共通チャンネル上の共通参照信号及び専用チャンネル上の専用参照信号をターゲットへ送信するように構成され、
１以上の各送信ポイントの専用チャンネル上の専用参照信号に、個々の識別子とは無関係の識別子を割り当てるのに適した情報を受信するように構成された手段であって、前記割り当ては、使用可能な識別子の既定のインデックスリストを維持し、そして前記ターゲット装置において、受信した情報に基づいて前記インデックスリストからインデックスされた識別子を選択することを含むものである手段、
を備えた装置。
【請求項１４】
前記共通チャンネルはE-UTRANにおいて、
物理的ダウンリンク制御チャンネル、
一次同期チャンネル、
二次同期チャンネル、
セル特定参照信号ブロードキャストチャンネル、
物理的コントロールフォーマットインジケータチャンネル、
物理的ハイブリッドＡＲＱインジケータチャンネル、
の１つ以上を含む、請求項１に記載の方法。
【請求項１５】
前記情報は、E-UTRANのダウンリンク制御情報内で送信される請求項８に記載の方法。
【請求項１６】
前記共通チャネルはE-UTRANにおいて、
物理的ダウンリンク制御チャンネル、
一次同期チャンネル、
二次同期チャンネル、
セル特定参照信号ブロードキャストチャンネル、
物理的コントロールフォーマットインジケータチャンネル、
物理的ハイブリッドＡＲＱインジケータチャンネル、
の１つ以上を含む、請求項１０に記載の方法。
【請求項１７】
前記情報は、E-UTRANのダウンリンク制御情報内で送信される請求項１０又は１６に記載の方法。
【請求項１８】
前記共通チャネルはE-UTRANにおいて、
物理的ダウンリンク制御チャンネル、
一次同期チャンネル、
二次同期チャンネル、
セル特定参照信号ブロードキャストチャンネル、
物理的コントロールフォーマットインジケータチャンネル、
物理的ハイブリッドＡＲＱインジケータチャンネル、
の１つ以上を含む、請求項１２に記載の装置。
【請求項１９】
前記専用参照信号に割り当てられた前記識別子を割り当てるための情報を前記少なくとも１つのターゲット装置に送信する手段を更に含む請求項１２に記載の装置。
【請求項２０】
前記情報は、E-UTRANのダウンリンク制御情報内で送信される請求項１９に記載の装置。
【請求項２１】
前記共通チャネルはE-UTRANにおいて、
物理的ダウンリンク制御チャンネル、
一次同期チャンネル、
二次同期チャンネル、
セル特定参照信号ブロードキャストチャンネル、
物理的コントロールフォーマットインジケータチャンネル、
物理的ハイブリッドＡＲＱインジケータチャンネル、
の１つ以上を含む、請求項１３に記載の装置。
【請求項２２】
前記情報は、E-UTRANのダウンリンク制御情報内で送信される請求項１３又は２１に記載の装置。
【発明の詳細な説明】
【技術分野】
【０００１】
本発明は、ハイブリッドセル識別子シナリオにおける識別子動的割り当て方法及び装置に関する。より詳細には、本発明は、次世代ネットワークのためのハイブリッドセルＩＤシナリオにおける動的復調参照信号ＤＭ−ＲＳシーケンス構成を可能にする方法及び装置に関する。
【背景技術】
【０００２】
本発明は、移動通信に関するもので、一例として、とりわけ、マルチポイント協調送信ＣｏＭＰとしても知られている多数のポイントからの協調送信を特徴とする現在検討中で且つ開発中の長期進化規格（ＬＴＥ）を参照するものである。
【０００３】
従来、ＣｏＭＰは、同じキャリアを使用してセル間での協調を要求するものであるが、最近のＣｏＭＰシナリオでは、協調されるべき送信ポイントが異なる位置又は異なるアンテナである（例えば、ＭＩＭＯ（多入力多出力）構成において）。同様に、そのようなシナリオは、それらの位置に同じセルＩＤが指定されること、又はそれらの位置が異なるコンポーネントキャリアＣＣ（例えば、キャリアアグリゲーションの場合のような）を使用するリソースに依存することを伴う。従って、本発明で使用されるＣｏＭＰは、その広い意味で理解されるべきであり、既存のＣｏＭＰシナリオに限定されない。
【０００４】
前記規格化の検討は、ＣｏＭＰ評価のための基本的シナリオの１つとしてＨｅｔＮｅｔ（異種ネットワーク）シナリオを選択した。このシナリオでは、多数のピコセル（ピコｅＮＢ（進化型Ｎｏｄｅ＿Ｂ）、又は単にリモート無線ヘッドＲＲＨにより構成された）がマクロｅＮＢのカバレージ内に位置する。ピコ及びマクロは、各々、送信ポイント又はアクセスポイントによって画成されたカバレージエリアを表わし、そしてカバレージエリアは、採用された名前でも表されるノードに指定された送信電源にリンクされ、即ちピコセルは、小さなカバレージを有し、一方、マクロセルは、大きなカバレージを有する。
【０００５】
多数のそのようなポイントからの協力又は協調送信、即ちＣｏＭＰは、対応するカバレージ内のマクロｅＮＢと１つ以上のピコｅＮＢとの間、又は異なるセクター／セルのマクロｅＮＢ／ピコ間で行われる。（ピコｅＮＢは、単にリモート無線ヘッドＲＲＨとも称されることに注意されたい。）
【０００６】
説明上、図１は、マクロセルのカバレージ内に低電力（小カバレージ）のＲＲＨを伴う異種ネットワークを概略的に示す。この規範的シナリオでは、ＲＲＨによって生成される送信／受信ポイントは、マクロセルとして異なるセルＩＤを有する。協調エリアは、出発点としてＮ個の低電力ノードを伴う１つのセルを備え、即ちＮ＝３の低電力ノードを伴う３つのサイト内セルが図示されている。マクロｅＮＢには、セルＩＤ１が指定され、そしてＲＲＨには、各個々のＩＤ、即ちＩＤ２、ＩＤ３及びＩＤ４が指定されている。予想される性能のベンチマークは、非ＣｏＭＰ  Ｒｅｌ．１０  ｅＩＣＩＣフレームワークである（異なるセルＩＤを伴う改善されたセル間干渉協調）。
【０００７】
同様に、説明上、図２は、マクロセルカバレージ内に低電力ＲＲＨを伴うネットワークを概略的に示すもので、ＲＲＨにより生成される送信／受信ポイントがマクロセルと同じセルＩＤを有する。ここでは、協調エリアは、出発点としてＮ個の低電力ノードを伴う１つのセルを備え、従って、Ｎ＝３の低電力ノードを伴う３つのサイト内セルを含む。又、ここでは、性能ベンチマークは、異なるセルＩＤを伴う非ＣｏＭＰ  Ｒｅｌ．１０  ｅＩＣＩＣフレームワークである。
【０００８】
図１及び図２に示すシナリオの主たる相違は、異なる送信ポイントが同じセルＩＤを有するか又は異なるセルＩＤを有するかである。
【０００９】
基本的な展開シナリオは、１つのマクロｅＮＢ＋多数のＲＲＨをファイバで接続したものである。（ファイバ接続は、図２では、マクロポイントとピコポイントとの間に矢印で示されているが、図１では省略されている。）全ての送信ポイント（１つのセルエリアで１つのマクロ＋Ｎ個のＲＲＨ）に対してセルＩＤを指定するために２つの基本的な方法がある。
【００１０】
図１において、送信ポイントは、異なるセルＩＤであり、従って、異なる同期、ブロードキャスト及びＵＥ特有のコントロールチャンネルが各ポイントから送信され、各ＲＲＨは、ＵＥから見た個々のセルである。
【００１１】
異なる物理的セル（又は物理的送信ポイント）に対して異なるセルＩＤを有する１つの効果は、最大のＰＤＣＣＨマルチプレクシング能力（物理的ダウンリンクコントロールチャンネル）である。セル特有のスクランブルシーケンス及びＰＤＣＣＨのインターリーブ特徴がないと、異なるセル（異なる送信ポイント）は、同じリソースを異なるＰＤＣＣＨ送信に対してマルチプレクスすることができる。
【００１２】
しかしながら、Ｒｅｌ．１０及びその後のリリースに対する異なるセルＩＤの最も挑戦的な発行は、ＤＭＲＳ（復調参照信号）直交性発行である。異なるセルＩＤが使用される場合には、ＰＤＳＣＨ（物理的ダウンリンク共有チャンネル）に使用されるＤＭＲＳが、常に、互いに準直交である。これは、同じセルＩＤの解決策に比して最適なケースではない。例えば、同じセルＩＤのケースでは、スケジューラが多数のＵＥに同じ物理的リソースを指定し、そして各々に相互に完全直交のＤＭＲＳシーケンスを指定する。換言すれば、同じセルＩＤに基づく異なるＤＭＲＳシーケンスが、異なるＵＥ間の空間的直交性を与えることができる。
【００１３】
それは、Ｒｅｌ．８においてそのＵＥ  ＤＭＲＳごとにそしてＲｅｌ．９においてそのセルＤＭＲＳごとに、動的に指示されるスクランブルＩＤが与えられる理由でもある。
【００１４】
最近の３ＧＰＰ  ＲＡＮ１ミーティングで提案された第２の選択肢が図２に示されている。マクロポイントのカバレージエリア内の全ての送信ポイント（マクロ及びＲＲＨ）が同じセルｉｄ（１つのセル）を共有する。既存のマクロ展開にピコポイントを追加してもセルによってカバーされるエリアが増加しないことを実現するのが重要である。
【００１５】
この同じセルＩＤの概念の主たる効果は、ＣＳＩ−ＲＳ（チャンネル状態インジケータ参照信号）又はＤＭ−ＲＳ（復調参照信号）のいずれかの観点からデータチャンネル協力送信のための自由度を著しく拡張することである。同じセルｉｄは、ＣＳＩ−ＲＳ及びＤＭ−ＲＳに対して同じベースシーケンスを与え、そしてＣＳＩ−ＲＳ／ＤＭ−ＲＳの異なるポートは、完全な直交性を与える。
【００１６】
しかし、欠点も明らかであり、即ち、ピコカバレージ内のものを含めてマクロｅＮＢのカバレージ内の全てのＵＥは、同じＰＤＣＣＨリソースを共有しなければならず、これは、自由度を著しく制限すると共に、協力送信の潜在的利得も制限する。
【００１７】
いずれの選択肢（同じセルＩＤ又は異なるセルＩＤ）も、それ自身の賛否両論があり、従って、最終的な選択を行うことが実際上困難である。というのは、行うべき妥協に対してどちらがより有力であるかの評価が難しいからである。
【００１８】
前記状況に対する基本的な理由は、同じセルＩＤの解決策であるか又は異なるセルＩＤの解決策であるかに関わらず、同じ送信ポイントからのＰＤＣＣＨ／ＰＳＳ（一次同期信号）／ＳＳＳ（二次同期信号）／ＢＣＨ（ブロードキャストチャンネル）／ＰＣＦＩＣＨ（物理的コントロールフォーマットインジケータチャンネル）／ＰＨＩＣＨ（物理的ハイブリッドＡＲＱインジケータチャンネル）及びＣＳＩ−ＲＳ／ＤＭ−ＲＳ／ＰＤＳＣＨが常に同じセルＩＤに接続されることである。従って、コントロールチャンネル（ＰＤＣＣＨ、ＰＨＩＣＨ、及び全てのＣＲＳ（共通参照信号）ベースのチャンネル）が同じセルＩＤで展開される場合には、全てのＣＳＩ−ＲＳ及びＤＭＲＳも、同じセルＩＤのものとなる。これにより、コントロールチャンネルがマルチプレクス容量により制限されることになる。というのは、コントロールチャンネルのための全てのシーケンスが同じシーケンスをベースとしているからである。コントロールチャンネル（ＰＤＣＣＨ、ＰＨＩＣＨ及び全てのＣＲＳベースチャンネル）が異なるセルＩＤで展開される場合には、全てのＣＳＩ−ＲＳ及びＤＭＲＳも、異なるセルＩＤのものとなる。これにより、異なる送信からのＤＭＲＳ／ＰＤＳＣＨが互いに直交できないようにし、この場合も、協力送信の潜在的利得を制限することになる。
【００１９】
幾つかの会社は、セル特有のＣｏＭＰ  ＩＤを使用して、ＤＬ（ダウンリンク）ＤＭＲＳシーケンスＩＤ指示を取り扱うことを提案している。即ち、Ｒ１０セルＩＤではなく、（付加的に与えられる）ＣｏＭＰ  ＩＤを使用して、ＣｏＭＰ送信におけるＵＥのためのシーケンスＩＤを発生する。
0005783543.tif 000002
【００２０】
この方法は、上述した問題に対処するが、部分的であるに過ぎない。即ち、この方法によれば、ＤＭＲＳシーケンスＩＤは、依然、動的に変化しない（そしてスクランブルＩＤは、かなり限定される）。大きくて複雑なＣｏＭＰ協調エリアを考えると、最良の性能を得るには、使用するセルＩＤの融通性が極めて必要となる。
【発明の概要】
【発明が解決しようとする課題】
【００２１】
それ故、本発明の目的は、上述したシナリオの改良を提案することである。
【課題を解決するための手段】
【００２２】
本発明は、前記目的を達成するための方法及び装置を提供することである。
【００２３】
１つの態様によれば、前記目的は、例えば、複数の送信ポイントにより構成された通信ネットワークエリアにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成されており、各送信ポイントの各個々の識別子を各送信ポイントの共通チャンネルの共通参照信号に指定し、そして複数の各送信ポイントの専用チャンネルの専用参照信号に、個々の識別子に無関係の識別子を割り当てることを含む方法によって達成される。
【００２４】
そのような態様の更に別の開発によれば、
−前記指定は、各送信ポイントの物理的な識別子を個々の識別子として指定することを含み、
−前記割り当ては、協調送信のために構成された複数の送信ポイントにより構成されたネットワークエリアに関連した上位レイヤ識別子を共通の識別子として割り当てることを含み、
−前記割り当ては、使用可能な識別子の既定のインデックスリストを維持し、そして各送信ポイントにおいて、指示されたインデックスに基づいてインデックスリストからインデックスされた識別子を選択することを含み、
−前記割り当ては、識別子シフトパラメータを既定し、そして各送信ポイントの識別子を、少なくとも１つの共通シフトパラメータにより指示された値だけシフトすることを含み、
−前記割り当ては、各送信ポイントの個々の識別子をグループセル識別子にグループ分けし、そして各送信ポイントにおいて、そのグループセル識別子を、そのスクランブル値によりスクランブル識別子に基づいて変更することを含み、
−専用参照信号に割り当てられる識別子を割り当てる情報を、所定送信ポイントから、ネットワークエリアを構成する他の送信ポイント及びターゲットへ送信し、そしてターゲットにおいて、指示された情報に基づいて復調参照信号の識別子を発生することを含む。
−前記送信ポイントは、少なくとも１つのターゲット装置への協調送信のために構成される。
【００２５】
１つの態様によれば、前記目的は、例えば、複数の送信ポイントにより構成された通信ネットワークエリアの送信ポイントにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成されており、送信ポイントの個々の識別子を送信ポイントの共通チャンネルの共通参照信号に指定し、そして送信ポイントの専用チャンネルの専用参照信号に、個々の識別子に無関係の識別子を割り当てることを含む方法によって達成される。
【００２６】
そのような態様の更に別の開発によれば、
−前記指定は、送信ポイントの物理的な識別子を個々の識別子として指定することを含み、
−前記割り当ては、協調送信のために構成された複数の送信ポイントにより構成されたネットワークエリアに関連した上位レイヤ識別子を共通の識別子として割り当てることを含み、
−前記割り当ては、使用可能な識別子の既定のインデックスリストを維持し、そして送信ポイントにおいて、ネットワークエンティティから受け取られた指示されたインデックスに基づいてインデックスリストからインデックスされた識別子を選択することを含み、
−前記割り当ては、識別子シフトパラメータを既定し、そして送信ポイントの識別子を、少なくとも１つの共通シフトパラメータによって指示された値だけシフトすることを含み、
−前記割り当ては、各送信ポイントの個々の識別子をグループセル識別子にグループ分けし、そして各送信ポイントにおいて、そのグループセル識別子を、そのスクランブル値によりスクランブル識別子に基づいて変更することを含み、
−専用参照信号に割り当てられる識別子を割り当てる情報を、送信ポイントから、ネットワークエリアを構成する他の送信ポイント及びターゲットへ送信することを更に含み、
−前記割り当ては、使用可能な識別子の既定のインデックスリストを維持し、そして送信ポイントにおいて、他の送信ポイントから受け取られた指示されたインデックスに基づいてインデックスリストからインデックスされた識別子を選択することを含み、
−前記割り当ては、識別子シフトパラメータを既定し、そして別の送信ポイントの識別子を、少なくとも１つの共通シフトパラメータによって指示された値だけシフトすることを含み、
−専用参照信号に割り当てられる識別子を割り当てる情報を送信ポイントからターゲットへ送信することを更に含む。
−前記送信ポイントは、少なくとも１つのターゲット装置への協調送信のために構成される。
【００２７】
１つの態様によれば、前記目的は、例えば、複数の送信ポイントにより構成された通信ネットワークエリアのターゲット装置において、各送信ポイントは、個々の識別子によって識別され、各送信ポイントは、共通チャンネル上の共通参照信号及び専用チャンネル上の専用参照信号を前記少なくとも１つのターゲット装置へ送信するように構成され、複数の各送信ポイントの専用チャンネル上の専用参照信号に、個々の識別子とは無関係の識別子を割り当てるのに適した情報を受信することを含む方法によって達成される。
【００２８】
そのような態様の更に別の開発によれば、
−前記受信は、協調送信のために構成された複数の送信ポイントにより構成されたネットワークエリアに関連した上位レイヤ識別子を受信して、共通の識別子として割り当てることを含み、
−前記受信は、使用可能な識別子の既定のインデックスリストを維持し、そしてターゲットにおいて、受信した指示インデックスに基づいてインデックスリストからインデックスされた識別子を選択することを含み、
−前記受信は、送信ポイントの識別子を、少なくとも１つの受信した共通シフトパラメータにより指示された値だけシフトすることを含み、
−前記受信は、グループセル識別子を、ターゲットで受信されたそのスクランブル値によりスクランブル識別子に基づいて変更することを含み、
−指示された情報に基づいて復調参照信号の識別子を発生し、そして送信ポイントとの通信のために関連復調参照信号の識別されたシーケンスを使用することを更に含む。
−前記送信ポイントは、ターゲット装置への協調送信のために構成される。
【００２９】
１つの態様によれば、前記目的は、例えば、複数の送信ポイントにより構成された通信ネットワークエリアにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成されており、各送信ポイントの各個々の識別子を各送信ポイントの共通チャンネルの共通参照信号に指定するように構成された手段と、複数の各送信ポイントの専用チャンネルの専用参照信号に、個々の識別子に無関係の識別子を割り当てるように構成された手段と、を備えたシステムによって達成される。
【００３０】
そのような態様の更に別の開発によれば、
−前記指定するように構成された手段は、各送信ポイントの物理的な識別子を個々の識別子として指定するように構成され、
−前記割り当てるように構成された手段は、協調送信のために構成された複数の送信ポイントにより構成されたネットワークエリアに関連した上位レイヤ識別子を共通の識別子として割り当てるように構成され、
−前記割り当てるように構成された手段は、使用可能な識別子の既定のインデックスリストを維持し、そして各送信ポイントにおいて、指示されたインデックスに基づいてインデックスリストからインデックスされた識別子を選択するように構成され、
−前記割り当てるように構成された手段は、識別子シフトパラメータを既定し、そして各送信ポイントの識別子を、少なくとも１つの共通シフトパラメータにより指示された値だけシフトするように構成され、
−前記割り当てるように構成された手段は、各送信ポイントの個々の識別子をグループセル識別子にグループ分けし、そして各送信ポイントにおいて、そのグループセル識別子を、そのスクランブル値によりスクランブル識別子に基づいて変更するように構成され、
−専用参照信号に割り当てられる識別子を割り当てる情報を、所定送信ポイントから、ネットワークエリアを構成する他の送信ポイント及びターゲットへ送信し、そしてターゲットにおいて、指示された情報に基づいて復調参照信号の識別子を発生するように構成された送信器を更に備えている。
−前記送信ポイントは、ターゲット装置への協調送信のために構成される。
【００３１】
１つの態様によれば、前記目的は、例えば、複数の送信ポイントにより構成された通信ネットワークエリアの送信ポイントにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成されており、送信ポイントの個々の識別子を送信ポイントの共通チャンネルの共通参照信号に指定し、そして送信ポイントの専用チャンネルの専用参照信号に、個々の識別子に無関係の識別子を割り当てるように構成された手段を備えた装置によって達成される。
【００３２】
そのような態様の更に別の開発によれば、
−前記指定するように構成された手段は、送信ポイントの物理的な識別子を個々の識別子として指定するように構成され、
−前記割り当てるように構成された手段は、協調送信のために構成された複数の送信ポイントにより構成されたネットワークエリアに関連した上位レイヤ識別子を共通の識別子として割り当てるように構成され、
−前記割り当てるように構成された手段は、使用可能な識別子の既定のインデックスリストを維持し、そして送信ポイントにおいて、ネットワークエンティティから受け取られた指示されたインデックスに基づいてインデックスリストからインデックスされた識別子を選択するように構成され、
−前記割り当てるように構成された手段は、識別子シフトパラメータを既定し、そして送信ポイントの識別子を、少なくとも１つの共通シフトパラメータによって指示された値だけシフトするように構成され、
−前記割り当てるように構成された手段は、各送信ポイントの個々の識別子をグループセル識別子にグループ分けし、そして送信ポイントにおいて、そのグループセル識別子を、そのスクランブル値によりスクランブル識別子に基づいて変更するように構成され、
−専用参照信号に割り当てられる識別子を割り当てる情報を、送信ポイントから、ネットワークエリアを構成する他の送信ポイント及びターゲットへ送信するように構成された送信器を更に備え、
−前記割り当てるように構成された手段は、使用可能な識別子の既定のインデックスリストを維持し、そして送信ポイントにおいて、他の送信ポイントから受け取られた指示されたインデックスに基づいてインデックスリストからインデックスされた識別子を選択するように構成され、
−前記割り当てるように構成された手段は、識別子シフトパラメータを既定し、そして別の送信ポイントの識別子を、少なくとも１つの共通シフトパラメータによって指示された値だけシフトするように構成され、
−専用参照信号に割り当てられる識別子を割り当てる情報を送信ポイントからターゲットへ送信するように構成された送信器を更に備えている。
−前記送信ポイントは、ターゲット装置への協調送信のために構成される。
【００３３】
１つの態様によれば、前記目的は、例えば、複数の送信ポイントにより構成された通信ネットワークエリアのターゲットにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成され、複数の各送信ポイントの専用チャンネル上の専用参照信号に、個々の識別子とは無関係の識別子を割り当てるのに適した情報を受信するように構成された手段を備えた装置によって達成される。
【００３４】
そのような態様の更に別の開発によれば、
−前記受信するように構成された手段は、協調送信のために構成された複数の送信ポイントにより構成されたネットワークエリアに関連した上位レイヤ識別子を受信して、共通の識別子として割り当てるように構成され、
−前記受信するように構成された手段は、使用可能な識別子の既定のインデックスリストを維持し、そしてターゲットにおいて、受信した指示インデックスに基づいてインデックスリストからインデックスされた識別子を選択するように構成され、
−前記受信するように構成された手段は、送信ポイントの識別子を、少なくとも１つの受信した共通シフトパラメータにより指示された値だけシフトするように構成され、
−前記受信するように構成された手段は、グループセル識別子を、ターゲットで受信されたそのスクランブル値によりスクランブル識別子に基づいて変更するように構成され、
−指示された情報に基づいて復調参照信号の識別子を発生し、そして送信ポイントとの通信のために関連復調参照信号の識別されたシーケンスを使用するように構成された発生器を更に備えている。
−前記送信ポイントは、ターゲットへの協調送信のために構成される。
【発明の効果】
【００３５】
従って、本発明により提案される前記態様により、少なくとも本発明の１つ以上の規範的な実施形態及び／又は特徴によれば、次のような効果が実現される。
【００３６】
チャンネル状態情報参照信号／復調参照信号ＣＳＩ−ＲＳ／ＤＭ−ＲＳ識別子及び同じ協力エリアにおけるシーケンスも互いに完全に直交する。物理的ダウンリンク共有チャンネルＰＤＳＣＨ及び復調参照信号ＤＭＲＳのセルＩＤ構成には融通性がある。ＣＳＩ−ＲＳミューティングの必要性は、他のシナリオにも存在する同様の必要性を越えるものではない。
【００３７】
少なくとも本発明の規範的な実施形態によるここに示す方法を図２に示すシナリオ（同じセルＩＤの解決策）と比較することで、本発明は、最大のコントロールチャンネル容量、即ち物理的ダウンリンクコントロールチャンネルＰＤＣＣＨ、等を提供する。
【００３８】
本発明の他の潜在的な効果は、少なくとも１つ以上の規範的な実施形態において、物理的なセル識別子ＰＣＩと、物理的なアップリンクコントロールチャンネルＰＵＣＣＨのアップリンク復調参照信号ＤＭ−ＲＳとの間の関係を断ち切って、アップリンクコントロールチャンネル協力のためのより高い自由度を与えるように拡張できることである。
【００３９】
本発明は、添付図面を参照した以下の詳細な説明により容易に理解されよう。
【図面の簡単な説明】
【００４０】
【図１】ＣｏＭＰに関連した背景シナリオに含まれるエンティティを伴うネットワークの部分概略図である。
【図２】ＣｏＭＰに関連した他の背景シナリオに含まれるエンティティを伴うネットワークの部分概略図である。
【図３】本発明に関連した規範的シナリオの少なくとも部分的な個々の態様に含まれるネットワークエンティティの部分概略図である。
【図４】本発明に関連した規範的シナリオの少なくとも別の部分的な個々の態様に含まれるネットワークエンティティの部分概略図である。
【発明を実施するための形態】
【００４１】
個々の図面を説明する前に、次の章では、本発明の少なくとも規範的な態様を全体的に概説する。本発明のもとで考えられる機能の一般的な理解を得ることが適切であると思われる。
【００４２】
本発明の１つ以上の規範的な実施形態によれば、ＣＲＳ関連チャンネル（セル特有参照信号及び／又は共通参照信号）及びＣＳＩ−ＲＳ／ＤＭ−ＲＳ関連チャンネル（チャンネル状態インジケータ参照信号／復調参照信号）に使用されるセルＩＤのデカップリングが行われる。ＣＳＩ−ＲＳ／ＤＭ−ＲＳ参照信号は、それらが共通チャンネルではないので、専用チャンネルとも称される。
【００４３】
従って、本発明のこの態様によれば、少なくとも１つのターゲットへの協調送信のために構成された複数の送信ポイントにより構成された通信ネットワークエリアにおいて、各送信ポイントは、個々の識別子によって識別され、各送信ポイントは、共通チャンネルを経て共通参照信号をそして専用チャンネルを経て専用参照信号を前記少なくとも１つのターゲット装置へ送信するように構成されており、各送信ポイントの各個々の識別子を各送信ポイントの共通チャンネルの共通参照信号に指定し、そして複数の各送信ポイントの専用チャンネルの専用参照信号に、個々の識別子に無関係の識別子を割り当てることを含む方法が提案される。
【００４４】
即ち、別の上位レイヤ構成「送信セルＩＤ」（物理的セル識別子ＰＣＩとは異なる）を各ＵＥに対してＣＳＩ−ＲＳ及びＤＭＲＳ発生及びＰＤＳＣＨ送信に使用することが許可される（ＰＣＩは、依然、ＰＳＳ／ＳＳＳ／ＣＲＳＢＣＨ／ＰＣＦＩＣＨ／ＰＨＩＣＨ／ＰＤＣＣＨに共通チャンネルとして関連している）。
【００４５】
換言すれば、協力エリアの送信ポイントと、ターゲット、即ちＵＥ（ユーザ装置）との間の通信は、共通チャンネル及び専用チャンネルに各々異なる識別子を使用して行われる。協調送信のために構成された複数の送信ポイントによって構成されたネットワークエリアに関連した上位レイヤ識別子を専用チャンネルのための共通識別子として割り当てることについて知っている／通知された送信ポイント及びＵＥには、異なる識別子が分かる。一般的に、ｅＮＢ側のアクティビティは、個々の識別子、例えば、ＰＣＩを仮定してＰＤＣＣＨをＵＥへ送信することにある。ＵＥは、そのＰＤＣＣＨを受け取ると、内部のＤＣＩシグナリングに従って、無関係の、即ち別の既定の又は動的にシグナリングされたセルＩＤを使用して、ＤＭＲＳ及びＰＵＳＣＨを発生しなければならない。
【００４６】
シグナリングは、ＵＥ特有でも、セル特有でもよい。セルラーシステムでは、無線エア信号は、基本的な物理的識別子、即ち異なるセルからの信号を区別するＰＣＩ（物理的セルＩＤ）によりマークされる。その頂部に、ＵＥ特有の識別子を追加することができ、もし追加されれば、同じセル内の異なるＵＥは、専用チャンネル（ユーザ特有の識別子）を有し、もし追加されないと、全てのＵＥが同じチャンネル（そのチャンネルに対するセル特有の識別子）を共有する。
【００４７】
送信ポイントは、送信グループセルにグループ分けされ、そして専用チャンネルに対して同じセル特有の識別子を共有し、従って、（グループ）セル特有となる。即ち、１つのマクロｅＮＢ及び３つのピコＲＲＨを含む協力エリアでは、例えば、専用チャンネルのための各識別を共有する各々２つの送信ポイントのセルの２つのグループが構成される。
【００４８】
１つの簡単な実施例は、次の通りである。
共通チャンネル、例えば、ＰＤＣＣＨ／ＣＲＳ／ＰＳＳ／ＳＳＳ／ＢＣＨ／ＰＣＦＩＣＨ／ＰＨＩＣＨの場合は、異なる送信ポイント（マクロｅＮＢ又はピコ又はＲＲＨ）は、それらの物理的セル識別子ＰＣＩのような異なるセルｉｄを有し、一方、
専用チャンネル、例えば、ＣＳＩ−ＲＳ／ＤＭ−ＲＳの場合には、異なる送信ポイントは、ＰＣＩとは個別で且つそれとは無関係の同じセルｉｄを有する。
【００４９】
そのような個別のセルＩＤが固定された場合には、静的なシナリオが存在し、一方、個別のセルＩＤが可変である場合には、動的なシナリオが存在する。
【００５０】
動的な構成を可能にするために、３つの別々の規範的な実施形態について以下に概略を述べる。
【００５１】
規範的実施形態１（代替え形態１）
ａ）ネットワークエンティティは、ＲＲＣシグナリング（ＵＥ特有又はＵＥグループ特有）を通して使用されるべき複数のセルＩＤを既定する。
ｂ）ｅＮＢは、セルＩＤのインデックスを、ダウンリンクコントロール情報内の明確な情報ビットＤＣＩ（ＰＤＣＣＨ）で指示する。ＲＲＨ及びマクロは、全て、１つのｅＮＢによりコントロールされる。従って、ＲＲＨは、関連ＵＥに対して使用されるセルＩＤに関して通知される。
ｃ）ＵＥは、ＤＣＩからの指示されたセルＩＤに従い、ＤＭＲＳシーケンスＩＤを次のように発生する。
0005783543.tif 000003
但し、ＣＥＬＬ(ｎ)＿ＩＤは、ＵＥ及びＲＲＨ／ｅＮＢに知られたＲＲＣ前構成セルＩＤリストであり、そしてｎは、インデックスにおけるＤＣＩからの明確なシグナリングである。ｓｃｒａｍｂｌｅ＿ＩＤも、ＤＣＩを通して指示される。
【００５２】
従って、この規範的な実施形態によれば、割り当てすることは、使用可能な識別子の既定のインデックスリストを維持し、そして各送信ポイント（及びターゲット、即ちターミナルＵＥ）において、指示されたインデックスに基づいてインデックスリストからインデックスされた識別子を選択することを含む。
【００５３】
規範的実施形態２（代替え形態２）
ａ）ネットワークエンティティは、ｅＮＢ（＆ＲＲＨ）及びＵＥによって知られたセルＩＤシフトパラメータを既定する。
ｂ）ｅＮＢは、ＤＣＩにおける明確な情報ビットでシフトパラメータを指示する。ＲＲＨ及びマクロは、全て、１つのｅＮＢによってコントロールされる。従って、ＲＲＨは、関連ＵＥに使用されるセルＩＤに関して通知される。
ｃ）ＵＥは、シフトパラメータを得て、それ自身のセルＩＤを合成し、ＤＭＲＳシーケンスＩＤを発生する。
【００５４】
それ自身のセルＩＤは、ＰＣＩであり、これは、そのＵＥがキャンピングしているセルＩＤである。ＵＥは、同期チャンネルからＰＣＩを学習する。このシフト方法は、シナリオ４のためだけではなく、他のシナリオについては、シフト値がＤＭＲＳ＿ＩＤを多数のセルにわたって同じものにすることができる。シフト値は、異なるＵＥに対して異なるものであるＲＲＣ構成パラメータである。例えば、ＰＣＩ＝３５のＵＥは、ＲＲＣシグナリングによりシフト値６６が与えられ、そしてＰＣＩ＝４７のＵＥは、シフト値５３が与えられる。結局、ＤＭＲＳ＿ＩＤは、この２つのＵＥに対して同じになる。
0005783543.tif 000004
但し、現在のＬＴＥ  Ｒｅｌ．１０では、Ｓｃｒａｍｂｌｅ＿ＩＤは、０又は１である。
【００５５】
従って、この規範的な実施形態では、割り当てることは、識別子シフトパラメータを既定し、そして各送信ポイントの識別子を、少なくとも１つの共通シフトパラメータにより指示された値だけシフトすることを含む。
【００５６】
規範的実施形態３（代替え形態３）
セルＩＤをグループ分けし、例えば、Ｎ個のセルをグループＩＤで１つのグループへ一緒に入れる。従って、Ｓｃｒａｍｂｌｅ＿ＩＤの範囲が０・・・Ｎ−１においてＳｃｒａｍｂｌｅ＿ＩＤの数字をＮ個の値から１つ選ぶことができる。（現在のＳｃｒａｍｂｌｅ＿ＩＤは、２つの値０又は１しか有していない。）
0005783543.tif 000005
【００５７】
次いで、適当なスクランブルＩＤ調整（相当多数のアルゴリズムを適用できるが、基本的には、セル縁のＵＥがグループＤＭＲＳ＿ＩＤを使用して、ＣｏＭＰを遂行するようにさせる）を通して、ｅＮＢは、ＤＭＲＳシーケンスＩＤを使用するようにＵＥに指令することができる。
【００５８】
従って、この規範的実施形態では、前記割り当てることは、各送信ポイントの個々の識別子をグループセル識別子にグループ分けし、そして各送信ポイントにおいて、そのグループセル識別子を、そのスクランブル値によりスクランブル識別子に基づいて変更することを含む。
【００５９】
前記規範的な実施形態の各々において、専用参照信号に割り当てられる識別子を割り当てるための情報が、所定送信ポイントから、ネットワークエリアを構成する他の送信ポイント及びターゲットへ送信され、そしてターゲットにおいて、指示された情報に基づいて復調参照信号の識別子が発生される。
【００６０】
従って、上述したように、種々の実施形態全体にわたり、異なるセルＩＤを使用して、共通参照信号又はセル特有の参照信号、ＣＲＳ、関連チャンネルと、専用チャンネル、例えば、ＣＳＩ−ＲＳ／ＤＭ−ＲＳ関連チャンネルとの間の接続に中断が導入され、そして同じ協力エリア内の異なる送信ポイントからのＣＳＩ−ＲＳ／ＤＭ−ＲＳは、同じセルＩＤ又はＣｏＭＰ−ＩＤを共有する。これは、データ送信のための非常に高い融通性を与える。異なる送信ポイントからのＣＲＳベースのチャンネルは、異なるセルＩＤに基づくもので、ＰＤＣＣＨ容量は、レガシーターミナル（Ｒｅｌ．８−１０ターミナル）に対して最大になる。
【００６１】
本発明及びその方法と、図１に示すシナリオ（異なるセルＩＤの解決策）との比較について以下に述べる。
【００６２】
図３及び４は、互いに相互作用するエンティティを伴うネットワークの部分的概略図である。図３は、共通参照信号チャンネルの実施形態を単に示し、一方、図４は、専用参照信号チャンネルの形態を示す。
【００６３】
両図に共通のこととして、図３／４のマトリクスは、リソースエレメントを表わす。各水平軸は、時間ドメインで、単位はＯＦＤＭ記号であり、即ち１つのグリッドは、時間ドメインにおけるＯＦＤＭ記号を表わし、各垂直軸は、周波数ドメインであって、単位は、ＰＲＢ又はサブバンドであり、即ち１つのグリッドは、物理的リソースブロック又はサブバンドを表わす（が、実施時の正確な数は、３ＧＰＰ仕様に従い、ここに示す規範的実施形態では、図中の方形の数は、例示に過ぎない）。マトリクスの左部分のハイライト領域は、ＰＤＣＣＨ送信に対して使用され及び／又は指定されるＲｅｓを表わし、そして異なるハイライトは、異なるセルＩＤに基づく異なるセル間でＰＤＣＣＨの準直交リソースの意味を表わすのに使用される。
【００６４】
図３において、全てのＣＲＳ関連チャンネルに対して、異なる送信ポイントは、異なるセルＩＤを有し、即ちマクロｅＮＢについてはセルＩＤ＃１、そしてマクロのカバレージ内に存在する２つのピコについてはセルＩＤ＃２及びセルＩＤ＃３を有する。次いで、マクロｅＮＢのカバレージ内のＵＥ１及びＵＥ２は、セルＩＤ＃１に基づき同じＰＤＣＣＨリソースを共有するが、ＵＥ３及びＵＥ４は、異なるセルＩＤ、即ちＵＥ３についてはセルＩＤ＃２そしてＵＥ４についてはセルＩＤ＃３、に基づいて別のＰＤＣＣＨリソースを使用する。従って、異なる送信ポイントがコントロールチャンネルについて異なるベースシーケンスを有することを考慮すれば、全領域におけるＰＤＣＣＨ容量は、最大となる。（任意であるが、Ｒｅｌ．１０  ｅＩＣＩＣスキームは、干渉の軽減に使用できる。）
【００６５】
図４において、異なる送信ポイントからの全てのＣＳＩ−ＲＳ／ＤＭ−ＲＳ関連専用チャンネルに対して、それらは、同じセルＩＤ、例えば、ＣｏＭＰ又は協力エリアＣＡ−ＩＤに基づくものである。
【００６６】
又、全領域には充分な数のＣＳＩ−ＲＳポートがあり、例えば、各々４つの送信器Ｔｘを伴う１マクロ＋４ＲＲＨでは、全部でこのセルには、２０個のＣＳＩ−ＲＳポートが設けられる（２０リソースエレメントＲＥ／物理的リソースブロックＰＲＢに対応する）。又、多数のＣＳＩ−ＲＳパターンがサポートされ、そしてそれらの各々は、多数のＣＳＩ−ＲＳポートを含む（Ｒ１０に適合するには＜８）。通常、１つのＣＳＩ−ＲＳパターンには、１つの送信ポイントが関連している。各ＵＥは、１つのＣＳＩ−ＲＳパターンで許可される。ＵＥ特有のＣＳＩ−ＲＳ構成を使用する一方、ミューティングを使用して激しい相互干渉を防止することもできる。
【００６７】
規範的な実施形態に関して述べた変更は、別の規範的な実施形態としても有効であり／可能であり、特に、各規範的な実施形態における個々の変更を別の規範的な実施形態において合成することもできる。従って、本発明の概念から逸脱せずに、更に別の変更も可能であることを理解されたい。
【００６８】
本発明は、少なくとも１つのターゲットへの協調送信のために構成された複数の送信ポイントにより構成された通信ネットワークエリアにおいて、各送信ポイントは、個々の識別子によって識別され、各送信ポイントは、共通チャンネル上の共通参照信号及び専用チャンネル上の専用参照信号を前記少なくとも１つのターゲット装置へ送信するように構成され、各送信ポイントの各個々の識別子を各送信ポイントの共通チャンネルの共通参照信号に指定し、そして複数の各送信ポイントの専用チャンネルの専用参照信号に、個々の識別子に無関係の識別子を割り当てることを含む方法を提案する。又、それに対応する装置にも向けられる。
【図１】
0005783543.tif 000006
【図２】
0005783543.tif 000007
【図３】
0005783543.tif 000008
【図４】
0005783543.tif 000009